(57)【特許請求の範囲】
【請求項１】
少なくとも着用者の足関節をベース生地で包囲する足関節サポーターにおいて、
前記着用者の足の内側面側に前記着用者の足裏から内果の中心に対応する部分の下方を経由してアキレス腱に対応する部分にかけて帯状に配設され、前記ベース生地と比較して伸縮抵抗が大きい第１の強伸縮部と、
前記着用者の足の内側面側に前記着用者の踵から足甲の付け根にかけて、前記着用者の内果の中心に対応する部分の下方で前記第１の強伸縮部と交差する帯状に配設され、前記ベース生地と比較して伸縮抵抗が大きい第２の強伸縮部と、
前記着用者の足の外側面側に前記着用者の踵から足甲の付け根にかけて、前記着用者の外果に対応する部分に重畳する帯状に配設され、前記ベース生地と比較して伸縮抵抗が大きい第３の強伸縮部と、
前記着用者の足の外側面側に前記着用者の足裏における前記着用者の第５趾に対応する部分近傍から前記着用者の足甲の付け根にかけて、当該足甲の付け根近傍で前記第３の強伸縮部に連結される帯状に配設され、前記ベース生地と比較して伸縮抵抗が大きい第４の強伸縮部と、
前記着用者の足の外側面側に前記着用者の踵から口ゴム部にかけて、前記着用者の足の後方に配設され、前記ベース生地と比較して伸縮抵抗が大きい第５の強伸縮部と、
を備えることを特徴とする足関節サポーター。
【発明の詳細な説明】
【技術分野】
【０００１】  この発明は、足関節サポーターに関するものである。
【背景技術】
【０００２】  足関節は、踵骨、距骨及び下腿骨（脛骨、腓骨）により、距腿関節及び距骨下関節から構成される。足関節の捻挫はスポーツで最も頻繁に起こる怪我である。そして、捻挫をする足の特徴としては、足の背屈（伸展）において、距骨の内側部が後方に十分に滑り込まない運動の異常が挙げられる。また、捻挫をする足の特徴としては、足の外側の靭帯が伸びてしまい、足部の内がえしが起こり易い状態になっている。このため、捻挫を予防する足関節サポーターの開発が切望されている。【０００３】  従来の靴下は、靴下足底部の趾球後方の位置から土踏まず部と踵部の境界を含む位置にかけてウェール方向に締付力を高めた第１締付部を設け、趾球後方の位置においてコース方向に締付力を高めた第２締付部を周設するとともに、足首部にコース方向に締付力を高めた第３締付部を周設し、さらに、土踏まず部と踵部の境界を含む位置から足甲部の付け根の位置にかけてコース方向に締付力を高めた第４締付部を周設した構成とする（例えば、特許文献１参照）。
【先行技術文献】
【特許文献】
【０００４】
【特許文献１】特開２００９−１５５７６３号公報
【発明の概要】
【発明が解決しようとする課題】
【０００５】  しかしながら、従来の靴下は、各締付部によって横足弓及び縦足弓の形状を、共に保護及び回復する効果が得られ、靴下着用中も各締付部の位置が安定するものであり、捻挫又はアキレス腱炎の原因となる皮膚下の結合組織及び筋肉を動かして着用者の足関節を正常な位置に戻すものではない。【０００６】  この発明は、上述のような課題を解決するためになされたもので、捻挫又はアキレス腱炎の原因となる皮膚下の結合組織及び筋肉を動かして着用者の足関節を正常な位置に戻すことができる足関節サポーターを提供することを目的とする。
【課題を解決するための手段】
【０００７】  この発明に係る足関節サポーターにおいては、着用者の足の内側面側に着用者の足裏からアキレス腱に対応する部分にかけて帯状に配設され、ベース生地と比較して伸縮抵抗が大きい第１の強伸縮部と、着用者の足の内側面側に着用者の踵から足甲の付け根にかけて、着用者の内踝の中心に対応する部分の下方で第１の強伸縮部と交差する帯状に配設され、ベース生地と比較して伸縮抵抗が大きい第２の強伸縮部と、を備える。
【発明の効果】
【０００８】  この発明に係る足関節サポーターにおいては、足の背屈において、距骨の内側部を後方に踵骨及び脛骨間に滑り込ませるように作用させ、踵骨及び脛骨間の適合する位置に距骨を嵌合させることができ、足関節の正常な運動を誘導し、安定性を向上して、捻挫を予防することができる。
【図面の簡単な説明】
【０００９】
【図１】（ａ）は理想的な位置にある第１の強伸縮部及び第２の強伸縮部の作用効果を説明するための説明図であり、（ｂ）は第１の強伸縮部及び第２の強伸縮部による距骨の動きを説明するための説明図であり、（ｃ）は第２の強伸縮部及び足底部の作用効果を説明するための説明図であり、（ｄ）は理想的な位置にある第３の強伸縮部、第４の強伸縮部及び第５の強伸縮部の作用効果を説明するための説明図である。
【図２】（ａ）は第１の実施形態に係る右足用の他の足関節サポーターを示す斜視図であり、（ｂ）は図２（ａ）に示す足関節サポーターの身部の足甲部側を開放した状態を示す斜視図である。
【図３】（ａ）は第１の実施形態に係る右足用の足関節サポーターの着用状態を示す正面図であり、（ｂ）は図３（ａ）に示す足関節サポーターの背面図であり、（ｃ）は図３（ａ）に示す足関節サポーターの右後方から見た斜視図である。
【図４】（ａ）は図３（ａ）に示す足関節サポーターの左側面図であり、（ｂ）は図３（ａ）に示す足関節サポーターの右側面図である。
【図５】（ａ）は図３（ａ）に示す足関節サポーターの裏地面を示す背面図であり、（ｂ）は図３（ｂ）に示す足関節サポーターの裏地面を示す背面図である。
【図６】（ａ）は第１の強伸縮部及び第２の強伸縮部に対する樹脂製シート状体を説明するための説明図であり、（ｂ）は第３の強伸縮部及び第４の強伸縮部に対する樹脂製シート状体を説明するための説明図である。
【図７】（ａ）は第１の実施形態に係る右足用の他の足関節サポーターの着用状態を示す正面図であり、（ｂ）は図７（ａ）に示す足関節サポーターの背面図であり、（ｃ）は図７（ａ）に示す足関節サポーターの右後方から見た斜視図である。
【図８】（ａ）は図７（ａ）に示す足関節サポーターの左側面図であり、（ｂ）は図７（ａ）に示す足関節サポーターの右側面図である。
【発明を実施するための形態】
【００１０】（本発明の第１の実施形態）  以下の説明においては、右足用の足関節サポーター１００を図示した図１を用いて説明するが、左足用の足関節サポーター１００は、右足用の足関節サポーター１００における後述する第１の強伸縮部１、第２の強伸縮部２、第３の強伸縮部３、第４の強伸縮部４及び第５の強伸縮部５の位置が左右対称の位置にあるだけの違いであるので、図示を省略する。  また、図１においては、足関節サポーター１００として、爪先部を備えていないサポーターを図示しているが、爪先部を備えた靴下型のサポーターであってもよい。  また、足関節サポーター１００は、図２に示すように、身部２０を足甲側で開閉するためのジッパー８（ファスナー）を備えてもよいし、ジッパー８の代わりに、面ファスナーや紐やマジックベルト（登録商標）を用いてもよい。
【００１１】  本実施形態に係る足関節サポーター１００は、図１（ａ）に示すように、少なくとも着用者の足関節をベース生地１０１で包囲するサポーターであり、着用者の足の内側面側に着用者の足裏からアキレス腱に対応する部分にかけて帯状に配設され、ベース生地１０１と比較して伸縮抵抗が大きい第１の強伸縮部１と、着用者の足の内側面側に着用者の踵から足甲の付け根にかけて、着用者の内踝の中心に対応する部分の下方で第１の強伸縮部１と交差する帯状に配設され、ベース生地１０１と比較して伸縮抵抗が大きい第２の強伸縮部２と、を備える。  また、本実施形態に係る足関節サポーター１００は、図１（ｄ）に示すように、着用者の足の外側面側に着用者の踵から足甲の付け根にかけて、着用者の外踝に対応する部分に重畳する帯状に配設され、ベース生地１０１と比較して伸縮抵抗が大きい第３の強伸縮部３と、着用者の足の外側面側に着用者の足裏における着用者の第５趾に対応する部分近傍から着用者の足甲の付け根にかけて、当該足甲の付け根近傍で第３の強伸縮部３に連結される帯状に配設され、ベース生地１０１と比較して伸縮抵抗が大きい第４の強伸縮部４と、着用者の足の外側面側に着用者の踵から口ゴム部３０にかけて、着用者の足の後方に配設され、ベース生地１０１と比較して伸縮抵抗が大きい第５の強伸縮部５と、を備える。  さらに、本実施形態に係る足底部１０ｂは、ベース生地１０１と比較して伸縮抵抗が大きいものである。
【００１２】  第１の強伸縮部１は、足の背屈において、図１（ｂ）に示すように、距骨２０１の内側部を後方に踵骨２０２及び脛骨２０３間に滑り込ませるように作用させ、踵骨２０２及び脛骨２０３間の適合する位置に距骨２０１を嵌合させることができ、足関節の正常な運動を誘導することができる。  なお、第１の強伸縮部１のみでは、第１の強伸縮部１による距骨２０１の移動に伴って距骨２０１下の踵骨２０２が踵の外側に移動することになり、足の外側縦アーチが潰れ、内側縦アーチに負担が掛かることになる。  このため、第２の強伸縮部２は、図１（ａ）に示すように、足の外側から内側に向けて踵を牽引ように作用して、第１の強伸縮部１による距骨２０１の移動に伴う踵骨２０２が踵の外側に移動することを防止し、内側縦アーチを保護することができる。  ここで、足の背屈は、日常生活で多用される運動であり、例えば、しゃがむ動作や歩行の接床時に生じ、特に、しゃがむ動作は、足関節に体重を載せるため、足関節に最も負担が生じる運動である。  これに対し、第１の強伸縮部１及び第２の強伸縮部２は、しゃがむ動作において、距骨２０１と踵骨２０２及び脛骨２０３との位置関係を整え、膝の前方への移動を円滑に行なうことができ、足関節の負担を軽減することができる。  特に、足の背屈においては、第２の強伸縮部２が収縮状態になり、第１の強伸縮部１が緊張状態になることにより、第１の強伸縮部１が足底部１０ｂを介して着用者の足のアーチを持ち上げる作用効果を奏する。
【００１３】  ここで、扁平足の人は、図１（ｃ）に示すように、足の長手方向に対してつま先が外側を向くように外転している。このため、扁平足を改善するには、足の長手方向に沿うようにつま先を強制的に内側（第１趾側）に向ける必要がある。  そこで、本実施形態に係る足関節サポーター１００は、足底部１０ｂが伸び難い編地のためにつま先が外側（第５趾（足の小指）側）に向くことを抑制すると共に、第２の強伸縮部２が足の外側から内側に向けて踵を牽引ように作用することにより、扁平足を改善することができる。  すなわち、本実施形態に係る足底部１０ｂは、足のアーチを支持して、着用者を正常な姿勢に改善すると共に、距骨２０１の内側部を踵骨２０２及び脛骨２０３間に滑り込ませる動きを誘導するという作用効果を奏する。
【００１４】  また、本実施形態に係る足関節サポーター１００は、図１（ｄ）に示すように、第３の強伸縮部３及び第４の強伸縮部４が足の外側を上方に牽引する（足の外側が内側に対して伸び難い）ことにより、着用者の足部の内がえしを抑制することができると共に、第４の強伸縮部４が第５趾を斜め上方に牽引する（第５趾側が第１趾側に対して伸び難い）ことにより、足の底屈（屈曲）の場合に、第５趾が下がることを抑制することができる。  すなわち、本実施形態に係る足関節サポーター１００は、着用者が下り坂などのつま先から接床する場合に、第３の強伸縮部３及び第４の強伸縮部４がつま先を内側（第１趾側）から接床させると共に、第４の強伸縮部４が第５趾を上方に持ち上げることにより、第５趾が第１趾より先に接床することを抑制し、足の捻挫及び躓きを防止することができる。
【００１５】  特に、本実施形態に係る足関節サポーター１００は、内外側が互いに牽引し合うことで、着用者の足関節をさらに安定させると共に、内側面にある第１の強伸縮部１及び第２の強伸縮部２と外側面にある第３の強伸縮部３及び第４の強伸縮部４とが互いに引っ張り合って張力を保持することができる。
【００１６】  また、第５の強伸縮部５は、着用者の足首の運動軸の後ろを通るため、足の背屈（つま先を上げる動作）によって緊張状態になる。これにより、第５の強伸縮部５は、着用者がつま先を上げた時に、踵の外側を引き上げ、着用者の足裏が内側を向くような内反捻挫を防止することができる。  これに対し、第３の強伸縮部３は、主として、底屈位（つま先を下げた状態）にて緊張状態となり、つま先の外側を引き上げ、着用者の足裏が内側を向くような内反捻挫を防止することができる。
【実施例】
【００１７】  つぎに、前述した理論を、足関節サポーター１００として、丸編で編成される靴下１００ａに応用した場合について、図３〜図５を用いて説明する。  なお、以下の説明においては、右足用の靴下１００ａを図示した図３〜図５を用いて説明するが、左足用の靴下１００ａは、右足用の靴下１００ａにおける第１の強伸縮部１、第２の強伸縮部２、第３の強伸縮部３、第４の強伸縮部４及び第５の強伸縮部５の編地の位置が左右対称の位置にあるだけの違いであるので、図示を省略する。【００１８】  図３及び図４において、本実施形態に係る靴下１００ａは、表糸、裏糸及びゴム糸を編糸とし、靴下編機（例えば、株式会社村田製作所製の編み機種「ラムダアンフィニー（針数：１４４本）」）により丸編で編み立てられる筒状編地のうち着用者のつま先に対応する部分を縫製加工してソックス形状とする構成である。  靴下１００ａは、足部１０、身部２０及び口ゴム部３０の三部に大別され、ベース生地１０１に対して部分的に編み立てを異ならせてなる。  なお、本実施形態に係るベース生地１０１は、編み目が連続して並び、表と裏の区別がある編地である平編で編成している。【００１９】  足部１０は、筒状編地における着用者の踵に対応するかかと成形部分であるかかと部１１と、筒状編地における着用者のつま先に対応する爪先成形部分である爪先部１２と、かかと部１１の成形線（ゴアライン）１１ａ及び爪先部１２の成形線１２ａの先端を結ぶ線より上の部分である足甲部１０ａと、かかと部１１の成形線１１ａ及び爪先部１２の成形線１２ａの先端を結ぶ線より下の部分である足底部１０ｂと、を備えている。【００２０】  また、本実施形態に係る爪先部１２は、着用者の第１趾（足の親指）と第１趾以外の４つの足指とを分けて爪先部１２に装着できるように、爪先部１２を２つに分割することで、歩行による靴下１００ａの捩れを防止することができる。【００２１】  また、本実施形態に係る爪先部１２は、足部１０の爪先部１２を２以上に分割し構成してもよいし、第１趾に限らずに１つの足指と他の４つの足指とを分割し構成してもよいし、複数の足指と他の複数の足指とを分割し構成してもよい。【００２２】  なお、本実施形態に係るかかと部１１及び爪先部１２は、平編をなす地編糸に他の編糸（パイル糸）を添えて給糸し、地編糸を表面に、パイル糸を裏面に現すように地編糸とともにパイル糸を編み込み、パイル糸のシンカ・ループを拡大してリング状にパイルを出したパイル編からなる編地（以下、平編・パイル編地と称す）で編成しており、後述する第１の強伸縮部１、第２の強伸縮部２、第３の強伸縮部３、第４の強伸縮部４及び第５の強伸縮部５の位置ずれを抑制するアンカーとして機能する。【００２３】  このように、かかと部１１及び爪先部１２は、生地の内側（着用者の体表と接する面）にタオルのようなループ状の編み目を加えているために、かかと部１１及び爪先部１２に空気の層を作り出し、クッション性を高めている。また、靴下１００ａの着用者が靴を履いた場合には、靴からのストレスを緩和する緩衝材の役割を果たすとともに、吸水性に優れ、着用者の汗を吸い取る役割も果たす。【００２４】  また、本実施形態に係る足底部１０ｂは、��地を編成するときに、一時ある編み目を作らないで、次のコースを編むときに一緒に編み目を作る編地であるタック編と添え糸編とを併用した編地（以下、タック編・添え糸編地と称す）からなる編地で編成している。  また、タック編・添え糸編地では、タック編の地編糸の他に他の編糸（例えば、ウーリーナイロン糸）を添えて給糸することで、靴下１００ａの長さ方向における足底部１０ｂの伸縮を適度に抑えており、足底部１０ｂとベース生地１０１との境界において他の編糸をカットしている（カットボス）。【００２５】  このように、足底部１０ｂは、ベース生地１０１と比較して伸縮抵抗が大きいことにより、靴下１００ａの横ずれを防止すると共に、着用者の足底から下腿方向に伸びる強伸縮部（第１の強伸縮部１、第２の強伸縮部２、第３の強伸縮部３、第４の強伸縮部４、第５の強伸縮部５）のアンカーとなりつつ、着用者の足部のアーチを足底から支持する役割を果たし、さらに地面からの衝撃を吸収及び緩和することができるという作用効果を奏する。【００２６】  また、靴下１００ａは、着用者の足の内側面側に足底部１０ｂから着用者のアキレス腱に対応する部分にかけて帯状に編成され、ベース生地１０１と比較して伸縮抵抗が大きい第１の強伸縮部１と、着用者の足の内側面側にかかと部１１から足甲部１０ａの付け根にかけて、着用者の内踝の中心に対応する部分の下方で第１の強伸縮部１と交差する帯状に編成され、ベース生地１０１と比較して伸縮抵抗が大きい第２の強伸縮部２と、を備える。  なお、本実施形態に係る第１の強伸縮部１及び第２の強伸縮部２は、足底部１０ｂと同様に、タック編・添え糸編地により編成している。【００２７】  なお、第１の強伸縮部１及び第２の強伸縮部２は、図１（ａ）に示すように、着用者の内踝２０４の中心の下方で交差するように、第１の強伸縮部１が着用者の足裏からアキレス腱まで延在し、第２の強伸縮部２が着用者の踵から足首の屈曲部まで延在することが理想的である。しかしながら、第２の強伸縮部２を靴下の丸編地で実現するには、第２の強伸縮部２の延長線上とある、柔軟性を有するかかと部１１に強伸縮編地を編成する必要があり、困難である。このため、本実施形態に係る第２の強伸縮部２は、図４（ａ）に示すように、かかと部１１に隣接する足底部１０ｂから足甲部１０ａの付け根にかけて帯状に編成されている。また、本実施形態に係る靴下１００ａは、かかと部１１を編成することなく、着用者の踵を露出させる貫通孔（ホールアンカー）を設け、第２の強伸縮部２をホールアンカーに連結する構成であってもよい。【００２８】  なお、本実施形態に係る靴下１００ａは、第２の強伸縮部２が、図４（ｂ）に示すように、着用者の足の外側面側で着用者の足の後方まで延在して第５の強伸縮部５を介して口ゴム部３０に連結され、第１の強伸縮部１が、図３（ｂ）に示すように、着用者の足の外側面側で第５の強伸縮部５に連結されることにより、第２の強伸縮部２を螺旋状にし、口ゴム部３０をアンカーとして機能させて、第１の強伸縮部１及び第２の強伸縮部２の位置決めを行なっている。  しかしながら、靴下１００ａが身部２０の短い靴下であれば、第２の強伸縮部２を螺旋状にすることなく、第１の強伸縮部１及び第２の強伸縮部２が着用者の足の内側面側で口ゴム部３０に連結されてもよい。【００２９】  また、靴下１００ａは、着用者の足の外側面側にかかと部１１から足甲部１０ａの付け根にかけて、着用者の外踝に対応する部分に重畳する帯状に編成され、ベース生地１０１と比較して伸縮抵抗が大きい第３の強伸縮部３と、着用者の足の外側面側に足底部１０ｂにおける着用者の第５趾に対応する部分近傍から足甲部１０ａの付け根にかけて、当該足甲部１０ａの付け根近傍で第３の強伸縮部３に連結され、着用者の足の後方まで延在する帯状に編成され、ベース生地１０１と比較して伸縮抵抗が大きい第４の強伸縮部４と、着用者の足の外側面側に着用者の踵から口ゴム部３０にかけて、着用者の足の後方に配設され、ベース生地１０１と比較して伸縮抵抗が大きい第５の強伸縮部５と、を備える。  なお、本実施形態に係る第３の強伸縮部３、第４の強伸縮部４及び第５の強伸縮部５は、足底部１０ｂ、第１の強伸縮部１及び第２の強伸縮部２と同様に、タック編・添え糸編地により編成している。【００３０】  なお、第３の強伸縮部３及び第４の強伸縮部４は、図１（ｄ）に示すように、着用者の外踝２０５に重畳するように、第３の強伸縮部３が着用者の踵から足首の屈曲部まで延在し、第４の強伸縮部４が着用者の足裏から足首の屈曲部まで延在することが理想的である。しかしながら、第３の強伸縮部３を靴下の丸編地で実現するには、第３の強伸縮部３の延長線上となる、柔軟性を有するかかと部１１に強伸縮編地を編成する必要があり、困難である。このため、本実施形態に係る第３の強伸縮部３は、図４（ｂ）に示すように、かかと部１１に隣接する足底部１０ｂから足甲部１０ａの付け根にかけて帯状に編成されている。また、本実施形態に係る靴下１００ａは、かかと部１１を編成することなく、着用者の踵を露出させる貫通孔（ホールアンカー）を設け、第３の強伸縮部３をホールアンカーに連結する構成であってもよい。【００３１】  なお、本実施形態に係る靴下１００ａは、第３の強伸縮部３が、図４（ａ）に示すように、着用者の足の内側面側で口ゴム部３０に連結されることにより、第３の強伸縮部３を螺旋状にし、口ゴム部３０をアンカーとして機能させて、第３の強伸縮部３の位置決めを行なっている。  しかしながら、靴下１００ａが身部２０の短い靴下であれば、第３の強伸縮部３を螺旋状にすることなく、第３の強伸縮部３が着用者の足の外側面側で口ゴム部３０に連結されてもよい。【００３２】  また、着用者の足裏側におけるかかと部１１及び爪先部１２並びに足底部１０ｂは、滑り止め部材６が表地面（靴に当接する面）及び裏地面（着用者に当接する面）に配設される。  表地面の滑り止め部材６（以下、第１の滑り止め部材６ａと称す）は、図３（ｂ）に示すように、かかと部１１におけるつま先側の略半分の領域と、爪先部１２における第２趾、第３趾、第４趾及び第５趾の指袋を除く領域と、足底部１０ｂにおけるかかと部１１及び爪先部１２との境界近傍の領域と、に配設され、靴下１００ａと靴の中敷との位置ずれを防止する。【００３３】  また、裏地面の滑り止め部材６（以下、第２の滑り止め部材６ｂと称す）は、図５（ｂ）に示すように、かか��部１１におけるつま先側の略半分の領域と、爪先部１２における指袋を除く領域と、足底部１０ｂにおけるかかと部１１及び爪先部１２との境界近傍の領域と、に配設され、靴下１００ａと着用者の足裏との位置ずれを防止する。  また、第２の滑り止め部材６ｂは、図５に示すように、第２の強伸縮部２、第３の強伸縮部３及び第５の強伸縮部５における足甲部１０ａの付け根から上方の領域に配設され、着用者の皮膚に当接されることにより、第２の強伸縮部２及び第３の強伸縮部３のアンカーとして機能すると共に、皮膚の裏側に張り付いている筋肉等に対してマッサージ効果を与え、足関節の柔軟性を回復させることができるという作用効果を奏する。【００３４】  第１の滑り止め部材６ａ及び第２の滑り止め部材６ｂは、ポリ塩化ビニル、アクリル、ポリウレタン若しくはシリコーン等の軟性の合成樹脂又は天然樹脂を接着樹脂とし、ドット加工（パウダードット、ペースドット、ダブルドット）、パウダー加工、くもの巣加工又はフィルム加工等を接着樹脂の加工方法とするものであり、形状は特に限定されるものではない。【００３５】  なお、本実施形態に係る第１の滑り止め部材６ａは、シリコーンゴム製の複数の突起（例えば、ドット）により構成され、例えば、シルクスクリーン印刷法を用いて、足底部１０ｂの表地面における所定の領域に液体状のシリコーンゴムを塗布し、塗布したシリコーンゴムを乾燥させて足底部１０ｂの表地面に固着して配設される。【００３６】  同様に、本実施形態に係る第２の滑り止め部材６ｂは、シリコーンゴム製の複数の突起により構成され、例えば、シルクスクリーン印刷法を用いて、足底部１０ｂの裏地面における所定の領域に液体状のシリコーンゴムを塗布し、塗布したシリコーンゴムを乾燥させて足底部１０ｂの裏地面に固着して配設される。【００３７】  なお、滑り止め部材６は、表地面のみに配設されてもよいし、裏地面のみに配設されてもよいが、表地面及び裏地面の両面に配設されることにより、着用者の靴の中で、靴の中敷と着用者の足と靴下１００ａとが位置ずれすることなく一体となり、安定した歩行を実現することができるために、両面に配設させることが好ましい。【００３８】  なお、本実施形態においては、平編及びタック編に用いられる地編糸として、綿５０％とエステル５０％とで配合され、太さ３０デニール、撚り本数１本及び編み本数２本からなる表糸、太さ３０デニールのポリウレタンの芯糸と太さ７５デニールのエステルの巻き糸とからなるカバーリング・ヤーンである裏糸を用いているが、この材質に限られるものではなく、表糸として、綿、毛(カシミヤ、ラム、アンゴラなど)、絹若しくは麻などの天然繊維、アクリルなどの化学繊維、又は吸汗、速乾若しくは体温調整機能を持つ素材などを、靴下１００ａのコスト又は着用者のニーズに合わせて選択することが好ましい。また、裏糸として、ナイロン若しくはＦＴＹ、又は抗菌、防臭若しくは消臭素材を、靴下１００ａのコスト又は着用者のニーズに合わせて選択することが好ましい。【００３９】  また、タック編・添え糸編地及び平編・パイル編地におけるウーリーナイロン糸は、太さ１００デニール、撚り本数２本及び編み本数２本からなる。【００４０】  ま��、タック編・添え糸編地におけるゴム糸は、太さ２６０デニールのポリエーテル系の芯糸と太さ７５デニールのエステルの巻き糸とからなるカバーリング・ヤーンである。【００４１】  なお、本実施形態に係る靴下１００ａにおいては、第１の強伸縮部１、第２の強伸縮部２、第３の強伸縮部３、第４の強伸縮部４及び第５の強伸縮部５の編地を、タック編によって編み目数を変化させ、また添え糸編によって編地を補強することで、伸縮抵抗がベース生地１０１に対して大きくなるように編成し構成しているが、ポリエステル系、ポリアミド系、ポリウレタン系、ポリエチレン系（高密度、低密度）又はエチレン酢酸ビニル系などの種類の樹脂を含浸させた糸によって、第１の強伸縮部１、第２の強伸縮部２、第３の強伸縮部３、第４の強伸縮部４及び第５の強伸縮部５の編地を編成し構成することで、伸縮抵抗を増加させることができ、同様の作用効果を奏することができる。【００４２】  また、第１の強伸縮部１、第２の強伸縮部２、第３の強伸縮部３、第４の強伸縮部４及び第５の強伸縮部５の編地に、伸びを防ぐための細幅の布地などでできたテープ（伸び止めテープ）を縫付けることや、セロファン又はビニールなどのテープに接着剤を塗った粘着テープを貼り付けることでも、伸縮抵抗を増加させることができる。【００４３】  また、第１の強伸縮部１、第２の強伸縮部２、第３の強伸縮部３、第４の強伸縮部４及び第５の強伸縮部５の編地に、液体の樹脂を塗り、樹脂が空気に触れ酸化して固着させることや、薄膜状の樹脂を取り付けることや、液体の樹脂を噴霧器などで吹着け、樹脂が空気に触れ酸化して固着させることでも、伸縮抵抗を増加させることができる。【００４４】  第１の強伸縮部１、第２の強伸縮部２、第３の強伸縮部３、第４の強伸縮部４及び第５の強伸縮部５の編地を、接着剤を使用して樹脂加工を施す接着芯地としてもよい。この場合には、ポリエステル系、ポリアミド系、ポリウレタン系、ポリエチレン系（高密度、低密度）又はエチレン酢酸ビニル系などの種類の樹脂からなる接着樹脂を、ドット加工、パウダー加工、くもの巣加工又はフィルム加工などの加工方法によって、編地に塗布し、フラット型プレス機、ローラー型プレス機などによって加熱及び加圧処理を施すことで、編地に樹脂を固着させることができる。【００４５】  なお、本実施形態に係るかかと部１１は、平編・パイル編地で編成しているが、着用者の踵との間に位置ずれを生じ、アンカーとしての機能を十分に発揮できない可能性がある。このため、本実施形態に係るかかと部１１は、図６に示すように、足底部１０ｂ及び身部２０との境界近傍に環状の樹脂製シート状体７を加熱圧着して配設することにより、着用者の踵に対する摩擦力を高め、着用者の踵との間の位置ずれを抑制し、アンカーとしての機能を十分に発揮することができる。【００４６】  また、本実施形態に係る靴下１００ａは、強伸縮部（第１の強伸縮部１、第２の強伸縮部２、第３の強伸縮部３、第４の強伸縮部４、第５の強伸縮部５）が、丸編で編み立てられる筒状編地中に編成される製造方法について説明したが、この製造方法に限られるものではなく、例えば、ベースとなる靴下に強伸縮部としてベルト状の素材を縫製して��よいし、複数のパーツからなる生地を互いに縫製して靴下１００ａとしてもよい。【００４７】  特に、ベースとなる靴下に強伸縮部としてベルト状の素材を縫製する場合は、図３及び図４に示す第１の強伸縮部１、第２の強伸縮部２、第３の強伸縮部３及び第４の強伸縮部４を丸編地に編成する代わりに、図７及び図８に示す第１の強伸縮部１、第２の強伸縮部２、第３の強伸縮部３、第４の強伸縮部４及び第５の強伸縮部５となるベルトを縫製することが考えられる。
【符号の説明】
【００４８】  １      第１の強伸縮部  ２      第２の強伸縮部  ３      第３の強伸縮部  ４      第４の強伸縮部  ５      第５の強伸縮部  ６      滑り止め部材  ６ａ    第１の滑り止め部材  ６ｂ    第２の滑り止め部材  ７      シート状体  ８      ジッパー  １０    足部  １０ａ  足甲部  １０ｂ  足底部  １１    かかと部  １１ａ  成形線  １２    爪先部  １２ａ  成形線  ２０    身部  ３０    口ゴム部  １００  足関節サポーター  １００ａ  靴下  １０１  ベース生地  ２０１  距骨  ２０２  踵骨  ２０３  脛骨  ２０４  内踝  ２０５  外踝
【図１】
0005956695.tif 000002
【図２】
0005956695.tif 000003
【図３】
0005956695.tif 000004
【図４】
0005956695.tif 000005
【図５】
0005956695.tif 000006
【図６】
0005956695.tif 000007
【図７】
0005956695.tif 000008
【図８】
0005956695.tif 000009